(57)【要約】【課題】  本考案は、墓石、特に棹石（石塔）部分が地震や悪戯により簡単に転倒するのを防止することができる墓石転倒防止装置に関するものである。【解決手段】  ＥＰＤＭ（エチレン、プロピレン、非共役ジエンモノマーの共重合体）等耐候性、耐熱性、耐寒性、耐水性、反発弾性等に優れた合成ゴムを用いて、横断面の形状が三角形又は上部が狭く下方が広い略台形状で平面形状が略Ｌ字型の転倒防止ピース４個を１セットとし、墓石の棹石の四隅の基部及び上台に接着剤で接着固定し、地震の際に棹石が転倒するのを防ぐことができる墓石転倒防止装置である。  接着剤としては片面に転倒防止ピースに強力に接着する接着層、反対面に石材に強力に接着する接着剤層を有する両面テープ状の特殊接着剤を使用すると取り扱いが極めて簡単となる。【選択図】  図２
0003111416.tif 000002
【実用新案登録請求の範囲】
【請求項１】
ＥＰＤＭ（エチレン、プロピレン、非共役ジエンモノマーの共重合体）等耐候性、耐熱性、耐寒性、耐水性等に優れた合成ゴムを用いて、横断面の形状が三角形又は上部が狭く下方が広い略台形状で平面形状が略Ｌ字型の転倒防止ピース４個を１セットとし、墓石の棹石の四隅の基部及び上台に接着剤で接着固定するようにしたことを特徴とする墓石転倒防止装置
【請求項２】
耐候性、耐熱性、耐寒性、耐水性等に優れた金属又は強化プラスチックを素材として横断面の形状が三角形又は上部が狭く下方が広い略台形状で平面形状が略Ｌ字型の転倒防止ピース４個を１セットとし、ネジ止め又は接着等素材にあった固定方法で固定するようにしたことを特徴とする墓石転倒防止装置
【請求項３】
片面に転倒防止ピースに強力に接着する接着層、反対面に石材に強力に接着する接着剤層を有する両面テープ状の特殊接着剤で接着することを特徴とする請求項１記載の墓石転倒防止装置
【請求項４】
特殊接着剤の片面を予め転倒防止ピースに接着しておくことを特徴とする請求項１記載の墓石転倒防止装置
【考案の詳細な説明】
【技術分野】
【０００１】  本考案は、墓石、特に棹石（石塔）部分が地震や悪戯により簡単に転倒するのを防止することができる墓石転倒防止装置に関するものである。
【背景技術】
【０００２】  近年阪神淡路大震災を始め、宮城県北部地震、新潟県中越地震、インドネシア・スマトラ島沖地震等が発生し、地震被害の恐ろしさを再認識させられ、家屋の倒壊防止対策は勿論のことながら、家の中での家具の転倒防止対策等が幅広く検討されている。
地震災害のなかで墓地の被害も数多く報告されているが、これまで家屋の倒壊防止対策ほどは墓石の倒壊・転倒防止対策は行われていないのが現状である。【０００３】  現在、墓石の耐震装置、耐震墓石、墓石の倒壊防止装置などの名称でいくつか発明考案がなされている。  たとえば（１）特開２００３−３０７０４８、発明の名称（基礎ブロックの免震装置およびこれを用いた墓石の免震構造）の免震装置は上ブロックに埋設される上装着体と、下ブロックに埋設される下装着体と、上下装着体とを挿通して支持する支持体とで構成されるとともに、支持部にはボルトが装着され、ボルトを固定部に螺着することによって上装着体と下装着体とが支持体を介して分離可能に連結できるようにしたものである。【０００４】  （２）特開平９−７８８８５、発明の名称（墓石類の施工方法および耐震構造を有する墓石類）は、墓石類を構成する複数の全部又は主要部の墓石構成体の重なり合い面の少なくとも一方に少なくともその外周縁の形状にほぼ沿うようにかつ接着時に少なくとも２ｃｍの幅となるように樹脂接着剤を連続した線状に塗布し、重なり合い面を相互に重ねて接着し、重なり合い面は多孔質処理し、樹脂接着剤の一部を重なり合い面にアンカー状に嵌まり込ませるようにしたものである。【０００５】  （３）特開平１１−９３４６０、発明の名称（一体化構造の耐震墓石）は、所定の形状の墓石ブロックを積層している一体化構造の耐震墓石であって、墓石ブロックの境界に、墓石の重量で薄くなるような弾性変形する弾性緩衝材を挟着させ、この弾性緩衝材によって互いに接着される墓石ブロックの境界に接着隙間を設けておき、この接着隙間に軟質接着剤を充填し、墓石ブロックを軟質接着層を介して接着するようにしたものである。【０００６】  （４）特開平２００２−３７１７２９、発明の名称（耐震墓石・墓標）は、台ブロック上に墓石ブロック，花立ブロック、墓標ブロックの何れか又はこれらを組み合わせて垂直方向に立設形成される墓石・墓標において、墓石・墓標の下部ブロックと上部ブロック間の接合箇所に位置する下部ブロックに嵌込穴又は嵌込み溝を設け、上部ブロックを該嵌込穴又は嵌込み溝に嵌合させたものである。【０００７】  （５）特開２００２−３３９５９５、発明の名称（墓石倒壊防止装置）は、墓石の基礎上に複数の衝撃吸収手段を突設し、墓石の下面と基礎の上面との間および墓石の下面と衝撃吸収手段の側面との間に間隙が存在するようにした状態で各衝撃吸収手段の上端を墓石の下面に固定し、各衝撃吸収手段はゴム等の弾性部材で略截頭錐体状で内部にばねを介在させ、該略截頭錐体の上端と下端とにはそれぞれ天板と底板とを固定し、該略截頭錐体内に水平板を固定し該水平版に透孔を設けてばねを挿通したものである。【０００８】  これまでに上記（１）から（５）のようないろいろな発明考案がなされているが、何れも墓石を予め固定しておく方法或いは装置であって、お墓を新設する際に採用できる耐震・倒壊防止技術であり、一般的には既存のお墓を対象にしたものではない。
既存のお墓の１００％近くは耐震・倒壊防止の対策がなされていないお墓であって、上記の技術はこれら既設のお墓に対しては、積極的にリニューアルする場合もしくは新しく戒名を刻石するために墓石を取り外す機会を利用して改造する以外はほとんど採用されない致命的な欠点がある。
【考案の開示】
【考案が解決しようとする課題】
【０００９】  本考案は、前記の欠点を払拭するためになされたものであって、新設のお墓はもちろんのこと、既存のお墓を移動することなく、後付で簡単に、安価に、しかも専門家の手を煩わせることなく一般の方が効率よく耐震・倒壊防止能力を付与できるようにしたものである。
【課題を解決するための手段】
【００１０】  耐熱性、耐寒性、耐水性等に優れた合成ゴムを用いて、横断面の形状が三角形又は上部が狭く下方が広い略台形状で平面形状が略Ｌ字型に形成した転倒防止ピースを墓石の棹石の四隅の基部及び上台に接着剤で接着固定するようにしたもので、既存の墓石はもとより、新設の墓石の転倒を効率よく防止できるようにしたものである。【００１１】  本考案の転倒防止ピースの材質として、ＥＰＤＭ（エチレン、プロピレン、非共役ジエンモノマーの共重合体）と称されるエチレンープロピレンゴム（以下ＥＰＤＭと称す）を使用した場合は、耐候性、耐熱性、耐寒性、耐水性、反発弾性等に優れ、地震の際の棹石から受ける衝撃を吸収しながらその重量を支えることができるので、セメントやエポキシ系の接着剤等で墓石同士を強固に接着したものと異なり接着面が衝撃により破損したり、剥離するのを防止して棹石が転倒するのを防ぐことができる。【００１２】  本考案に使用する接着剤はＥＰＤＭに強力に接着し、耐候性、耐熱性、耐寒性、耐水性等に優れた接着剤を片面に形成し、反対面に墓石を構成する石材に強力に接着する接着剤層を有する両面テープ状の強力な特殊接着剤を採用するので専門家によることなく一般の人でも簡単に装着することができる。【００１３】  古い墓の墓石は表面がよごれていたり、劣化している場合が多く、そのままでは接着が難しい場合があるので、装着時には棹石の接着部分および上台の表面をサウンドペーパーやブラシで平滑にしたり、水やアルコールなどで洗浄したり、あるいは表面に接着しやすいようにシランカップリング剤等の表面処理剤を塗布して接着力を強化することもある。【００１４】  転倒防止ピースはＥＰＤＭに限らず、エチレンとプロピレンの共重合体であるＥＰＭやブチルゴムなども使用可能であるが、ＥＰＤＭは非共役ジエンモノマーである第３成分を共重合することにより硫黄架橋が可能となりブチルゴム等に比べて反発弾性が優れているので転倒防止ピースの素材としてより優れている。【００１５】  転倒防止ピースの素材としては上記のようにＥＰＤＭが優れているが、これにとらわれることなく、金属又はプラスチックを素材としたものも可能であり、材質にあった固定方法、たとえば金属製の場合はボルトを利用して棹石及び上台に固定することも可能である。【００１６】    転倒防止ピースと棹石及び上台は材質がまったく異なるので、それぞれ被着材に適合した接着剤を選択することが大切であり、両素材を１液の接着剤で転倒防止ピースと同等の耐候性、耐熱性、耐寒性、耐久性に優れた接着能力を有するものは皆無に等しいが、上記の両面テープ状の特殊接着剤を採用することにより可能となる。
【考案の効果】
【００１７】  上記のように、本考案は耐熱性、耐寒性、耐水性、反発弾性等に優れたＥＰＤＭゴムを用いているので、地震の際の墓石の衝撃を効率よく吸収し、セメントやエポキシ系の接着剤で墓石同士を強固に接着したものと異なり接着面が破損したり、剥離することがなく、しかも、構造は、ＥＰＤＭを横断面の形状が三角形又は上部が狭く下方が広い略台形状で平面形状を略Ｌ字型に形成したものを墓石の棹石の四隅の基部及び上台に接着剤で接着固定するようにしたもので、雨水や埃がたまることがなく、構造が極めて簡単であるから製造が容易で安価に製造でき、しかも、既存の墓石はもとより、新設の墓石にも使用できるので対象が極めて広範囲であり、専門の業者はもとより一般の方でも簡単に工事ができるなど数多くの特徴を有している。
【考案を実施するための最良の形態】
【実施例】
【００１８】  以下、考案の実施の１例を図面によって詳述する。
ＥＰＤＭ（エチレン、プロピレン、非共役ジエンモノマーの共重合体）等耐候性、耐熱性、耐寒性、耐水性等に優れた合成ゴムを用いて、図２で示すように横断面の形状が三角形又は図３に示すような上部が狭く下方が広い略台形状で平面形状が図４で示す略Ｌ字型の転倒防止ピースＡ４個を１セットとし、墓石の棹石１の四隅の基部及び上台２に接着剤等で接着固定する墓石転倒防止装置である。【００１９】  エチレンとプロピレンの共重合体である合成ゴムＥＰＭも通常のブチルゴムより耐老化性、耐候性等に優れているが、ＥＰＤＭは非共役ジエンモノマーである第３成分を共重合することにより硫黄架橋が可能となりこれらよりも反発弾性が格段に優れている。【００２０】  ＥＰＤＭ等転倒防止ピースＡを構成する材質と墓石（棹石１及び上台２）の材質はまったく異質であるから両材質を一液で接合できる接着剤は皆無に等しいため、本考案においては、図５の特殊接着剤の拡大図面に示すようにＥＰＤＭ等転倒防止ピースＡに強力に接着できる接着剤の層３を基板４の片面に有し、反対面に石材に強力に接着する接着層５、たとえばエポキシ系の接着剤やシアノアクリレート系の接着剤など（ただし、液状でなく粘着層に加工する）を有する両面テープ状の特殊接着剤Ｂを利用する。  なお、図面中６は剥離紙、７は中台、８は芝石を示す。【００２１】  製品化する場合は、ＥＰＤＭ等転倒防止ピースＡと特殊接着剤Ｂを別々に梱包することも可能であるが、接着剤と被接着材は必ず適合するものを選択する必要があるため、誤使用を防止するために予め工場において特殊接着剤Ｂの片面を転倒防止ピースＡの片面に接合しておくこともある。【００２２】  墓地において、本考案の転倒防止ピースＡを墓石に接着する際には、墓石の棹石１の四隅の基部及び上台２の接着部分を、アルコールや水できれいに洗浄して油分、塵、埃、砂などを完全に取り除き、十分乾燥した後に転倒防止ピースＡの特殊接着剤Ｂの剥離紙６を取り外し、棹石１の四隅の基部及び上台２の接着部分に配置し、強固に押圧固定する。
なお、墓石の表面の状態は個々に異なるので洗浄前に十分に点検し、劣化が進んでいる場合はサウンドペーパーやブラシで表面を平滑にしたり、あるいは表面に接着しやすいように素材に適応したシランカップリング剤などの前処理剤を塗布して接着力を強化することもある。【００２３】  前項では転倒防止ピースＡの接着に両面テープ状の特殊接着剤Ｂを利用したが、転倒防止ピースＡと墓石のように異質の素材を同時にかつ強力に接合できて、耐候性、耐熱性、耐寒性、耐水性、耐久性等に優れたる接着剤があれば取り扱いが極めて簡単となるのでこのほうが望ましいことは勿論である。
【産業上の利用可能性】
【００２４】  本考案の墓石転倒防止装置はＥＰＤＭ等耐候性、耐熱性、耐寒性、耐水性等に優れた合成ゴムを用いて、横断面の形状が三角形又は上部が狭く下方が広い略台形状で平面形状が略Ｌ字型に形成した転倒防止ピースＡ４個を墓石の棹石１の四隅の基部及び上台２に接着剤で接着固定するようにしたもので、日本に古来から延延と蓄積されたお墓の数は莫大な量であり、その大部分のものに後付けが可能であるから販売対象は極めて大であり、メーカーはもとより販売に携る業者への影響はきわめて大である。
また、ご先祖から引き継がれた大切なお墓を地震から守ることができるので本考案の墓石転倒防止装置を設置した需要者に精神的安心感を与えることができるなど数多くの優れた特徴を有するものである。
【図面の簡単な説明】
【００２５】
【図１】墓石に転倒防止ピースを接合した状態を示す斜視図である。
【図２】断面が三角形をした転倒防止ピースの斜視図である。
【図３】断面が略台形状をした転倒防止ピースの斜視図である。
【図４】転倒防止ピースの裏面図である。
【図５】両面テープ状の特殊接着剤の拡大断面図である。
【符号の説明】
【００２６】Ａ    転倒防止ピース
Ｂ    両面テープ状の特殊接着剤
１    棹石
２    上台
３    転倒防止ピースＡに強力に接着できる接着剤の層
４    特殊接着剤の基板
５    石材（棹石２、上台１）に強力に接着する接着層
６    特殊接着剤Ｂの剥離紙
７    中台
８    芝石
【図１】
0003111416.tif 000003
【図２】
0003111416.tif 000004
【図３】
0003111416.tif 000005
【図４】
0003111416.tif 000006
【図５】
0003111416.tif 000007